(57)【要約】【課題】高密度ストレージの記録再生で発生する短いパターンの連続によるエラーを防ぐことができるデータ符号化方法を提供する。【解決手段】本開示のデータ符号化方法は、ユーザデータを誤り訂正符号化しＥＣＣデータに変換するＥＣＣ符号化ステップと、符号化率が１より小さい変調則に従ってＥＣＣデータを変調符号データに変換する変調符号化ステップと、変調符号データの系列のうち所定の最小ランレングス＋Ｎ（Ｎは０以上の整数）以下の長さの変調マーク又は変調スペースの局所的な集中を検出する検出ステップと、検出ステップによって検出された変調マークまたは変調スペースの集中状態に従って変調符号データを別の変調符号データに変換するか否かを判定する判定ステップと、変換判定ステップにより別の変調符号データに変換する判定がされた場合、変調符号データを別の変調符号データに変換する変換ステップとを有する。【選択図】図１
2019160385.tif 000002
【特許請求の範囲】
【請求項１】
ユーザデータを誤り訂正符号化しＥＣＣデータに変換するＥＣＣ符号化ステップと、
所定の変換制約に基づいた符号化率が１より小さい変調則に従って、前記ＥＣＣデータを変調符号データに変換する変調符号化ステップと、
前記変調符号データの系列のうち所定の最小ランレングス＋Ｎ（Ｎは０以上の整数）以下の長さの変調マークまたは変調スペースの局所的な集中を検出する検出ステップと、
前記検出ステップによって検出された前記変調マークまたは変調スペースの集中状態にしたがって前記変調符号データを別の変調符号データに変換するか否かを判定する変換判定ステップと、
前記変換判定ステップにより別の変調符号データに変換する判定がなされた場合、前記変調符号データを別の変調符号データに変換する変換ステップと、
を有することを特徴とするデータ符号化方法。
【請求項２】
前記検出ステップは、前記変調符号データ系列の先頭から前記所定の最小ランレングス＋Ｎ以下の長さの変調マークまたは変調スペースの連続をカウントし前記カウント数が予め定められたカウント上限を超過した場合、超過数をカウントすることにより、局所的な集中を検出することを特徴とする請求項１記載のデータ符号化方法。
【請求項３】
前記検出ステップは、予め定められた長さの検出ウインドウを前記変調符号データ系列の先頭から走査し、前記検出ウインドウ内に含まれる前記所定の最小ランレングス＋Ｎ以下の長さの変調マークまたは変調スペースをカウントし前記カウント数が予め定められたカウント上限を超過した場合、超過数をカウントすることにより、局所的な集中を検出することを特徴とする請求項１記載のデータ符号化方法。
【請求項４】
前記変換判定ステップは、前記カウントされた超過数が予め定められた判定上限を超過した場合、前記別の変調符号データに変換する判定を行うことを特徴とする請求項２または請求項３記載のデータ符号化方法。
【請求項５】
前記変換ステップは、予め定められた長さの前記変調符号データが前記検出ステップで前記変調マークまたは変調スペースの局所的な集中の検出がなされ、前記変換判定ステップによって前記別の変調符号データに変換する判定がなされた場合、前記予め定められた長さの変調符号データに対応する変換前のユーザデータに予め定められた乱数系列によるビットスクランブルを施し、再びＥＣＣ符号化および変調符号化を行うことで、別の変調符号データに変換することを特徴とする請求項４記載のデータ符号化方法。
【請求項６】
前記検出ステップは、前記変調符号データ系列の先頭から前記所定の最小ランレングス＋Ｎ以下の長さの変調マークまたは変調スペースの連続をカウントすることにより局所的な集中を検出することを特徴とし、前記変換判定ステップは、前記カウント数が予め定められた判定上限を超過した場合、前記別の変調符号データに変換する判定を行い、前記判定がなされた場合、該当の前記変調マークまたは変調スペースの連続パターンに所定の最小ランレングス＋Ｎより大きい長さの変調パターンを挿入することを特徴とする請求項１記載のデータ符号化方法。
【請求項７】
前記検出ステップは、予め定められた長さの検出ウインドウを前記変調符号データ系列の先頭から走査し、前記検出ウインドウ内に含まれる前記所定の最小ランレングス＋Ｎ以下の長さの変調マークまたは変調スペースをカウントすることにより局所的な集中を検出することを特徴とし、前記変換判定ステップは、前記カウント数が予め定められた判定上限を超過した場合、前記別の変調符号データに変換する判定を行い、前記判定がなされた場合、該当の前記変調マークまたは変調スペースの連続パターンに所定の最小ランレングス＋Ｎより大きい長さの変調パターンを挿入することを特徴とする請求項１記載のデータ符号化方法。
【請求項８】
ユーザデータを誤り訂正符号化しＥＣＣデータに変換するするＥＣＣ符号化部と、
所定の変換制約に基づいた符号化率が１より小さい変調則にしたがって前記ＥＣＣデータを変調符号データに変換する変調符号化部と、
前記変調符号データの系列のうち所定の最小ランレングス＋Ｎ（Ｎは０以上の整数）以下の長さの変調マークまたは変調スペースの局所的な集中を検出する検出部と、
前記検出部によって検出された前記変調マークまたは変調スペースの集中状態に従って前記変調符号データを別の変調符号データに変換するか否かを判定する変換判定部と、
前記変換判定部により別の変調符号データに変換する判定がなされた場合、前記変調符号データを別の変調符号データに変換する変調データ変換部と、
を備えることを特徴とするデータ符号化装置。
【発明の詳細な説明】
【技術分野】
【０００１】
本開示は、ユーザデータを所定の規則に従って変調符号データへ変換するデータ符号化方法、およびユーザデータを所定の規則に従って変調符号データへ変換するデータ符号化装置に関する。
【背景技術】
【０００２】
近年記録メディアの容量増加にともない、高容量メディアに対応した変調符号データの提案が行われている。
【０００３】
光ディスクのデータ記録では、再生信号の検出精度を確保するため光ディスク再生信号の帯域制限に対応した符号帯域に制約のある変調則によって生成される変調符号データが用いられている。
【０００４】
変調符号の代表的な制約としてＲＬＬ（Ｒｕｎ Ｌｅｎｇｔｈ Ｌｉｍｉｔｅｄ）制限およびＲＭＴＲ（Ｒｅｐｅａｔｅｄ Ｍｉｎｉｍｕｍ Ｔｒａｎｓｉｔｉｏｎ Ｒｕｎ）制約（ＭＴＲ制約ともよばれる）がある。ＲＬＬは変調符号データの同一ビットの繰り返し（Ｒｕｎ）の最小数および最大数の制約のことで、係数ｄおよびｋで表される。例えば、変調２ビットが最小の場合繰り返し数ｄ＝１、変調８ビットが最大の場合繰り返し数ｋ＝７として表される。
【０００５】
このＲＬＬ制約は、例えば一般的に映画コンテンツ配布メディアなどの用途で用いられているＢｌｕ−ｒａｙ（登録商標）ディスク（以下、ＢＤとする）の１７ＰＰ変調符号では、ｄ＝１で最小変調パターンが２ビット（２Ｔマークまたはスペース）であり、ｋ＝７で最大変調パターンが８ビット（８Ｔマークまたはスペース）であることが知られている。
【０００６】
また、ＲＭＴＲ制約とはＲＬＬ制約で定められる最小変調パターンの最大連続数の制約のことで、１７ＰＰ変調符号の場合は最小変調パターンの２ビットの最大連続数がｒ＝６と制約されている。ＲＭＴＲの目的は、例えば、特許文献１で示されるように再生時のエラーを防ぐための制約である。
【０００７】
特許文献１では、ＢＤの標準的なディスク容量である１層２５ＧＢから３３〜３７ＧＢにトラック線密度を高密度化した条件で、ｒ＝６の１７ＰＰ符号よりもｒ＝２のＰＣＷＡ（Ｐａｒｉｔｙ−Ｃｏｍｐｌｅｍｅｎｔａｒｙ Ｗｏｒｄ Ａｓｓｉｇｎｍｅｎｔ）符号の方がビット検出において高いパフォーマンスを得ることを示されている。ＰＣＷＡはパリティ保存（ＰＰ）原理を拡張した概念で、パリティが異なる二つのユーザデータは変調符号化された後もパリティが異なることを意味している。  ＰＣＷＡ符号の代表的なものとして、例えば、非特許文献１において、１１０ＰＣＷＡ符号が提案されている。この符号はＲＬＬ制約がｄ＝１およびｋ＝１０でかつ、ＲＭＴＲ制約がｒ＝２であるＰＣＷＡ符号であり、高線密度条件の光ディスクにおいて高いビット検出パフォーマンスを有することが示された。
【先行技術文献】
【特許文献】
【０００８】
【特許文献１】特許第４９９８４７２号公報
【非特許文献】
【０００９】
【非特許文献１】“Ａ  ｎｅｗ  ｄ＝１，Ｋ＝１０  Ｓｏｆｔ  Ｄｅｃｏｄａｂｌｅ  ＲＬＬ  Ｃｏｄｅ  ｗｉｔｈ  ｒ＝２  ＭＴＲ  Ｃｏｎｓｔｒａｉｎｔ  ａｎｄ  ａ  ２  ｔｏ  ３  ＰＣＷＡ  ｍａｐｐｉｎｇ  ｆｏｒ  ＤＣ  ｃｏｎｔｒｏｌ”，Ｗｉｍ  Ｃｏｅｎｅ，Ａｎｄｒｉｅｓ  Ｈｅｋｓｔｒａ，Ｂｉｎ  Ｙｉｎ，Ｈｉｒｏｙｕｋｉ  Ｙａｍａｇｉｓｈｉ，Ｍａｋｏｔｏ  Ｎｏｄａ，Ａｒｉｙｏｓｈｉ  Ｎａｋａｏｋｉ，Ｔｏｓｈｉｈｉｒｏ  Ｈｏｒｉｇｏｍｅ，Ｏｐｔｉｃａｌ  ｄａｔａ  ｓｔｏｒａｇｅ  ２００６：２３−２６  Ａｐｒｉｌ  ２００６，Ｍｏｎｔｒｅａｌ，Ｃａｎａｄａ，ｐｐ．１６８−１７０
【発明の概要】
【発明が解決しようとする課題】
【００１０】
しかしながら、ディスク容量のさらなる向上を目的に、ディスク容量３３〜３７ＧＢ・１層 よりさらにトラック走査方向のマーク・スペースを小さくするようにトラック線密度を増加させた場合、線密度に応じて最小ランレングス長のマークのみならず最小ランレングスに近い長さの比較的短いマークの検出が困難になる。
【００１１】
図７は、光ディスク再生信号のスペクトラムを表している。ＲＦ信号７０１はディスク容量３３ＧＢ／１層のＲＦ信号の例であり、ＲＦ信号７０２はＲＦ信号７０１の約１．６７倍の線密度であるディスク容量５５ＧＢ／１層の条件で再生したＲＦ信号の例である。ＲＦ信号７０１の横軸０．２３付近以上、およびＲＦ信号７０２の横軸０．１４付近以上の水平にフラットな領域はノイズであり、残りが信号成分となる。光ディスクは検出光スポットに対してディスク上の記録マーク・スペースの物理長が小さいため再生信号としてはローパスフィルタがかかったような帯域制限された信号を得る。線密度を向上させた場合さらに顕著となり、信号とノイズが交差する点（カットオフ）が例えばＲＦ信号７０１の約０．２４からＲＦ信号７０２の０．１４まで低下する。これは高線密度になるにつれ再生信号に短いマーク成分が含まれなくなることを示しており、図７の縦の点線で示される２Ｔ〜５Ｔの単一マーク・スペース信号の帯域と比較すると、ＲＦ信号７０１では２Ｔ信号が、ＲＦ信号７０２では２Ｔおよび３Ｔ信号が信号帯域外として成分が含まれていない。
【００１２】
上記の理由により、先行文献１のディスク容量３３〜３７ＧＢ／１層 よりさらに線密度を増加させた場合、１７ＰＰおよび１１０ＰＣＷＡ符号でみられる最小ランレングス長（２Ｔ）のみならず最小ランレングスに近い長さの比較的短いマークの検出が困難になる（３Ｔ〜４Ｔ）。このような条件では、先行文献１で示されたＲＭＴＲｒ＝２の制約だけで短いマーク・スペースによる検出誤りを十分防ぐことが困難になることが容易に想像できる。例えば、図８は短い変調パターンが集中する例を示している。図８の変調パターン１は１１０ＰＣＷＡのＲＭＴＲｒ＝２制約で違反していない例で、変調パターン２は最小パターン２Ｔが３回連続していることから１１０ＰＣＷＡのＲＭＴＲｒ＝２制約に違反している例である。このような変調パターンは１１０ＰＣＷＡ符号からは生成されない。変調パターン３は２Ｔ・２Ｔ・３Ｔといった短いパターンが繰り返す例を示しているが、１１０ＰＣＷＡのＲＭＴＲｒ＝２制約の違反とはならない。
【００１３】
しかし、図７のＲＦ信号７０２にとってはこのような短いパターンの繰り返しの信号成分はＲＦ信号の帯域制限外となり、再生時に検出エラーを起こす可能性が高い。検出エラーを防ぐためにＲＬＬの最小パターン長を大きくする方法があるが、例えばｄ＝１からｄ＝３にすることで最小パターンが４Ｔとなり図７のＲＦ信号７０２の場合最小パターン信号をＲＦ信号帯域に含めることができるようになるが、変調符号を制限することになるので符号化率が著しく低下する。符号化率が低下すると記録できるユーザデータ容量が低下してしまうため本来の目的であったディスク容量のさらなる向上が達成できない。
【課題を解決するための手段】
【００１４】
本開示のデータ符号化方法は、ユーザデータを誤り訂正符号化しＥＣＣデータに変換するＥＣＣ符号化ステップと、所定の変換制約に基づいた符号化率が１より小さい変調則に従って、前記ＥＣＣデータを変調符号データに変換する変調符号化ステップと、前記変調符号データの系列のうち所定の最小ランレングス＋Ｎ（Ｎは０以上の整数）以下の長さの変調マークまたは変調スペースの局所的な集中を検出する検出ステップと、前記検出ステップによって検出された前記変調マークまたは変調スペースの集中状態にしたがって前記変調符号データを別の変調符号データに変換するか否かを判定する判定ステップと、前記変換判定ステップにより別の変調符号データに変換する判定がなされた場合、前記変調符号データを別の変調符号データに変換する変換ステップと、を有することを特徴とする。
【００１５】
また、本開示のデータ符号化装置は、ユーザデータを誤り訂正符号化しＥＣＣデータに変換するするＥＣＣ符号化部と、所定の変換制約に基づいた符号化率が１より小さい変調則にしたがって前記ＥＣＣデータを変調符号データに変換する変調符号化部と、前記変調符号データの系列のうち所定の最小ランレングス＋Ｎ（Ｎは０以上の整数）以下の長さの変調マークまたは変調スペースの局所的な集中を検出する検出部と、前記検出部によって検出された前記変調マークまたは変調スペースの集中状態に従って前記変調符号データを別の変調符号データに変換するか否かを判定する変換判定部と、前記変換判定部により別の変調符号データに変換する判定がなされた場合、前記変調符号データを別の変調符号データに変換する変調データ変換部と、を備えることを特徴とする。
【発明の効果】
【００１６】
本開示におけるデータ符号化方法は、高密度ストレージ記録再生において、短いパターンの連続および局所的な集中を媒体に記録する前に予め検出し回避することで、該当パターンによるエラーを防ぐことが可能になる。
【図面の簡単な説明】
【００１７】
【図１】高線密度の光ディスク再生信号を示す図
【図２】短い変調パターンが集中する例を示す図
【図３】本発明を適用したデータ符号化装置の一実施形態の構成例を示す図
【図４】短マーク・スペース検出部の短マーク・スペース検出動作例を示す図
【図５】短マーク・スペース検出および変換判定および変調符号データ変換動作例を示す図
【図６】短マーク・スペース検出部の短マーク・スペース検出動作の別の実施形態の例を示す図
【図７】本発明を適用したデータ符号化装置の別の一実施形態の構成例を示す図
【図８】図７にしたがう短マーク・スペース検出および変換判定および変調符号データ変換動作例を示す図
【発明を実施するための形態】
【００１８】
以下、適宜図面を参照しながら本発明の実施の形態について説明する。なお、本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
（実施の形態１）
図１は、本実施の形態のデータ符号化装置の構成例を示したブロック図である。データ符号化装置１００は、ＥＣＣ（Ｅｒｒｏｒ  Ｃｏｌｌｅｃｔｉｏｎ  Ｃｏｄｅ）符号化部１０１、変調符号化部１０２、短マーク・スペース検出部１０３、変換判定部１０４、及び変調データ変換部１０５を備える。
【００２０】
ＥＣＣ符号化部１０１は、ユーザデータを入力としてＥＣＣデータを出力する。ＥＣＣ符号化部１０１は、再生時の誤りを訂正するために適切に選択された誤り訂正符号の生成行列にしたがってユーザデータに誤り訂正パリティを追加することでＥＣＣデータを生成する。
【００２１】
変調符号化部１０２は、ＥＣＣ符号化部１０１から出力されたＥＣＣデータを入力とし、ＤＣ（Ｄｉｒｅｃｔ  Ｃｕｒｒｅｎｔ）制御及び所定の変換制約に基づいた変調則に従って生成される変調符号データを出力する。変調符号化部１０２は、出力する変調符号の低域変動を抑制するためＥＣＣデータにＤＣコントロール（ＤＣＣ）ビットを挿入することでＤＣ制御を行う。変調符号化部１０２は、ＤＣＣビットが付与されたＥＣＣデータから所定の変換制約に基づいた符号化率が１より小さい変調則にしたがって変調符号データを生成する。この変調則は、光ディスクの記録再生伝送路特性に応じて適切に選択される。例えば、ＢＤのディスク容量である１層あたり２５ＧＢを上回るトラック線密度においてはＲＬＬ制約がｄ＝１、ｋ＝１０でかつＲＭＴＲ制約がｒ＝２である１１０ＰＣＷＡ変調則である。
【００２２】
検出部の一例としての短マーク・スペース検出部１０３は、変調符号データの系列から所定の最小ランレングス＋Ｎ（Ｎは０以上の整数）以下の長さの変調マークまたは変調スペースの局所的な集中を検出する。本実施の形態では、局所的な集中として短い変調マークまたは変調スペースの連続を検出する例を示す。
【００２３】
図２は、短マーク・スペース検出部１０３で行う短マーク・スペース検出動作例を示している。チャネルクロックに同期して入力される変調符号データは、例えば、図２では、ひとつの四角で表されこれが変調符号データの”０”または”１”に対応している。短マーク・スペース検出部１０３は、変調符号データ系列からあらかじめ設定された所定の最小ランレングス＋Ｎ（Ｎは０以上の整数）以下の長さの変調マークまたは変調スペースを検出し、短マーク・スペースフラグ信号を得る。例えば、ＲＬＬ  ｄ＝１変調符号の場合、最短ランレングスが２Ｔマーク・スペースであり、あらかじめＮ＝１と設定された場合、検出される短マーク・スペースのランレングスは３である。このとき、短マーク・スペースフラグ信号は、変調符号データ系列に２Ｔまたは３Ｔが存在する箇所でアクティブ（図２ではＨｉｇｈ値）を示す。短マーク・スペース検出部１０３は、短マーク・スペースフラグ信号からマーク・スペース単位の連続数を連続カウンタで保持する。短マーク・スペース検出部１０３は、連続カウンタの値があらかじめ設定された検出連続数を上回った場合、超過検出フラグを立てる。図２では、予め検出連続数が３と設定されている例であり、連続カウンタがそれを上回る”４”を示したとき超過検出フラグがアクティブになる動作が示されている。短マーク・スペース検出部１０３は、超過検出フラグがアクティブになった回数をカウントする超過カウンタを備えている。短マーク・スペース検出部１０３は、変調マークまたは変調スペースの局所的な集中の検出結果である検出データとして超過カウンタの値を出力する。
【００２４】
変換判定部１０４は、入力の検出データから変調符号データが含む変調マークまたは変調スペースが局所的に集中しているパターンを変換するか判定する。変換判定部１０４は、検出データである超過カウンタの値があらかじめ設定された変換スレッショルド値を上回る場合、変換を実行するフラグとして判定データ信号を”Ｈｉｇｈ”出力する。図３は、短マーク・スペース検出および変換判定および変調符号データ変換の動作例を示している。
【００２５】
変換判定および変調符号データ変換は、例えば、図３のようにデータを所定の単位でひとまとめにしたブロック単位で動作する。ひとつのブロックは例えば変調符号データブロックでは３５７３４９８Ｔないし３５８０７７６Ｔないし４４０３１９Ｔないし４４７５９７Ｔであったり、またはその他の数値であったりする。ひとつのユーザデータブロック（ｕｉ、ｉは整数)から対応する変調符号データブロック（ｍｉ）が生成され、その後、短マーク・スペース検出部１０３は、対応する変調符号データブロックの短マーク・スペースの検出データとして超過カウンタ（ｃｉ）の値を出力する。変換判定部１０４は、ブロック単位で変換を実行するか否かを判定する。図３では、超過カウンタｃ２が予め設定された変換スレッショルド値を上回る場合を示している。変換判定部１０４は、ブロック単位で超過カウンタがｃ２の値を保持する区間変換を実行するフラグとして判定データ信号を”Ｈｉｇｈ”出力する。
【００２６】
変調データ変換部１０５は、入力される変換判定フラグに従って、変換判定がなされた変調符号データブロックに対応するユーザデータに予め定められた乱数系列によるビットスクランブルを施し、ユーザデータを別の形に変換し出力する。変換されたユーザデータは再びＥＣＣ符号化および変調符号化を行うことで、別の変調符号データに変換される。変調データ変換部はユーザデータを別の形に変換できるよう過去のユーザデータを保持するものとする。あるいは本装置へユーザデータを出力するシステムが過去のユーザデータを保持しており、変換判定フラグに従って本装置へのユーザデータ出力を切り替えるようにしてもよい。乱数系列は再生装置も利用できるよう固定値であったりあらかじめ定められたルールにのっとり生成されるものであったりする。変調データ変換部１０５は、変換判定フラグが非アクティブである場合入力されるユーザデータをそのまま出力する。変換される前の変調符号データブロック（図３のｍ２）はディスクに記録されないか、記録された場合同じユーザデータが異なる変調符号データブロック（ｍ２’）として記録されるため再生する必要のないブロックとして適切に管理されるものとする。例えば、ディスク上のディフェクトが交代領域として管理されるような方法で再生不能あるいは再生不要領域として管理されるものとする。
【００２７】
上記の実施形態により、所定の最小ランレングス＋Ｎ（Ｎは０以上の整数）以下の長さの変調マークまたは変調スペースの連続を含む変調符号データが記録されるのを防ぐ。
前述したあらかじめ設定される所定の検出ランレングスおよび、あらかじめ設定される検出連続数、およびあらかじめ設定された変換スレッショルド値が適切に設定されることで、低い確率で起こりうる短い変調パターンの連続発生を防ぐことができ、変調符号化率を可能な限り低下させずに従来のＲＭＴＲより拡張された制約を課すことによって、再生時の検出エラーを防ぐことができる。
【００２８】
（実施の形態２）
実施の形態２の構成および動作に関して、実施の形態１と同じ場合は説明を省略する。異なる箇所のみを説明する。
【００２９】
図４は、短マーク・スペース検出部１０３の短マーク・スペース検出動作の別の実施の形態である。
【００３０】
本実施の形態では、所定の最小ランレングス＋Ｎ（Ｎは０以上の整数）以下の長さの変調マークまたは変調スペースの局所的な集中として、所定区間内の短い変調マークまたは変調スペースの数を検出する。
【００３１】
実施の形態１との差分として検出ウインドウを新たに設けている。所定区間の検出ウインドウが変調符号データ系列の先頭から走査される。短マーク・スペース検出部１０３は、検査ウインドウ内の短マーク・スペースの個数をウインドウ内検出カウンタに格納する。
【００３２】
本実施の形態の短マーク・スペース検出部１０３は、予め定められたウインドウ内検出数を上回った場合、超過検出フラグを立てる。以降の動作は、実施の形態１と同様である。本実施の形態の場合、短い変調パターンの連続ではなく局所的な集中を検出することができ、前述の連続検出の実施の形態１よりも多くのパターンを検出可能となるため、ＲＭＴＲ制約がさらにさらに拡張された変調符号データが構成されることとなる。再生時の検出エラーを防ぐことができる。これによって再生時の検出エラーを防ぐことができる。
【００３３】
（実施の形態３）
実施の形態３の構成および動作に関して、実施の形態１と同じ場合は説明を省略する。異なる箇所のみを説明する。
【００３４】
図５は、本実施の形態のデータ符号化装置５００の構成例を示したブロック図である。図５の変換判定部５０４の動作は、主に図６で示される。図５の短マーク・スペース検出部１０３がマーク・スペース単位の連続数を連続カウンタで保持し、検出データとして出力したときに、変換判定部５０４は、変調符号データの短いマーク・スペースの局所的な集中を解消するために、変調符号データの短マーク・スペースの連続箇所の内部にあらかじめ定められた固定長の変調符号パターンを挿入する。
【００３５】
図５の変換判定部５０４は、連続カウンタの値があらかじめ設定された検出連続数を上回った場合（短マーク・スペース検出部１０３が超過検出フラグを立てこれを変換判定フラグとして出力した場合）、入力される変換判定フラグに同期して変調符号データの短マーク・スペースの連続箇所の内部にあらかじめ定められた固定長の変調符号パターンを挿入する。図６の変換された変調符号データの黒い四角で示した部分が挿入されたあらかじめ定められた固定の長い変調符号パターンである。このとき、図６の挿入箇所ａ及びｂは、もとの変調符号データ系列で短いマーク・スペースの連続区間に含まれており、かつマークとスペースの境界である。
【００３６】
本実施の形態は、図４で示される検査ウインドウを用いた短いマーク・スペースの局所的な集中に対しても同様に、固定の長い変調符号パターンを挿入する構成をとることができる。この場合、挿入箇所ａ及びｂは、超過フラグに応じた検査ウインドウに含まれるパターンとなる。本実施の形態によって低い確率で起こりうる短い変調パターンの連続または局所的な集中発生を防ぐことができ、変調符号化率を可能な限り低下させずに従来のＲＭＴＲより拡張された制約を変調パターンに課すことが可能となる。これによって短いマーク・スペースの連続・集中に起因する再生時の検出エラーを防ぐことが可能となる。
【産業上の利用可能性】
【００３７】
本開示のデータ符号化方法は、データの記録再生を行う光ディスク装置に適用可能である。
【符号の説明】
【００３８】
１００  データ符号化装置
１０１  ＥＣＣ符号化部
１０２  変調符号化部
１０３  短マーク・スペース検出部
１０４  変換判定部
１０５  変調データ変換部
５００  データ符号化装置
５０４  変換判定部
７０１  ＲＦ信号
７０２  ＲＦ信号
【図１】
2019160385.tif 000003
【図２】
2019160385.tif 000004
【図３】
2019160385.tif 000005
【図４】
2019160385.tif 000006
【図５】
2019160385.tif 000007
【図６】
2019160385.tif 000008
【図７】
2019160385.tif 000009
【図８】
2019160385.tif 000010